(57)【特許請求の範囲】
【請求項１】
エレベータ乗り場に設けられた乗り場ドアと、
前記乗り場ドアに設けられ、前記乗り場ドアのロック機構を操作するための操作キーをエレベータ乗り場側から前記乗り場ドアに備えられるパイプを通って差し込むことが可能な鍵穴と、
前記鍵穴に接続され、前記鍵穴の内側の空間と前記乗り場ドアの裏面側の空間とを遮断する袋状の可撓性を有するチューブと、
を具備することを特徴とするエレベータのドア装置。
【発明の詳細な説明】
【技術分野】
【０００１】
この発明は、エレベータ乗り場の出入口を開閉するドア装置に関する。
【背景技術】
【０００２】
建物のエレベータ乗り場の壁面には、乗りかごに対して乗降するための出入口が設けられ、この出入口に三方枠が据え付けられ、この三方枠の背面側に出入口開閉用の乗り場ドアが左右方向に移動可能に設けられている。
【０００３】
通常時には、乗り場ドアによりエレベータ乗り場の出入口が閉鎖され、かつその乗り場ドアがロック機構によりロックされている。そして、エレベータ乗り場に乗りかごが着床して停止した際に、その乗りかごのかごドアが乗り場ドアに係合し、かつ前記ロック機構が解除され、かごドアに連動して乗り場ドアが開閉される。
【０００４】
乗りかごが昇降移動を開始するときには、その動作でかごドアと乗り場ドアとの係合が外れるとともに、前記ロック機構が作動して乗り場ドアが閉鎖状態にロックされ、エレベータ乗り場の出入口の開放が阻止される。
【０００５】
一方、エレベータの保守点検時などにおいては、閉鎖状態の乗り場ドアを作業員がエレベータ乗り場から手動で開放操作して出入口を開く。この場合、前記ロック機構を手動操作でエレベータ乗り場側から解除する必要があり、そのため乗り場ドアにはその表面から裏面に貫通する鍵穴が形成され、その鍵穴に操作キーをエレベータ乗り場側から差し込み、この操作キーでロック機構を手動で操作することができるようになっている。
【０００６】
ところで近年、火災発生時の遮煙の観点から乗り場ドアの密閉性を高めることが重要な課題となっている。すなわち、乗り場ドア装置の密閉性が低いと、建物のある階で火災が発生した際に、その煙が乗り場ドア装置を通してその背面側の昇降路内に流入し、その昇降路が煙を上昇させる煙突として働いて建物全体に煙を充満させて避難を困難にさせてしまう恐れがあり、このため密閉性をできるだけ高め、高い遮煙性が得られるようにすることが望まれている。
【０００７】
このため、乗り場ドアの周囲をゴムパッキンで密閉して遮煙性を高める手段が講じられるようになってきている。
【発明の開示】
【発明が解決しようとする課題】
【０００８】
ところが、上述したように乗り場ドアにはその表面から裏面に抜ける鍵穴が形成されており、このためエレベータ乗り場側で火災が発生したときの煙がその鍵穴を通って昇降路側に流入し、その分、遮煙性が低下するという問題がある。
【０００９】
この発明はこのような点に着目してなされたもので、その目的とするところは、通常時には乗り場ドアの鍵穴を密閉して高い遮煙性を得ることができるとともに、保守点検時にはその鍵穴に操作キーを差し込んでロック機構を通常通り操作することができるエレベータのドア装置を提供することにある。
【課題を解決するための手段】
【００１２】
請求項１の発明は、エレベータ乗り場に設けられた乗り場ドアと、前記乗り場ドアに設けられ、前記乗り場ドアのロック機構を操作するための操作キーをエレベータ乗り場側から前記乗り場ドアに備えられるパイプを通って差し込むことが可能な鍵穴と、前記鍵穴に接続され、前記鍵穴の内側の空間と前記乗り場ドアの裏面側の空間とを遮断する袋状の可撓性を有するチューブとを具備することを特徴としている。
【発明の効果】
【００１４】
この発明によれば、鍵穴を通して乗り場ドアのロック機構をエレベータ乗り場側から通常通り手動で操作することができるとともに、エレベータ乗り場側で火災が発生したときに、その煙が鍵穴を通って昇降路内に流入するような不都合を防止して遮煙性を高めることができる。
【発明を実施するための最良の形態】
【００１５】
以下、この発明の実施の形態について図面を参照して説明する。
【００１６】
（第１の実施形態）
図１および図２には第１の実施形態を示してある。図１には、乗り場ドアのロック機構（図示せず）を手動で解除操作するための操作キー１と、この操作キー１を差し込むための鍵穴２の構造を示してある。
【００１７】
本実施形態における操作キー１は、主軸３と、この主軸３の先端部に回動可能に取り付けられた可動軸４とからなる。また鍵穴２は、乗り場ドア５のパネル面に円孔６を形成し、かつその円孔６に対向するように所定の長さのパイプ７を前記パネル面の裏面に取り付けてなる。
【００１８】
そして、解除の操作を行なう際には、まず図１（Ａ）に示すように、操作キー１の主軸３と可動軸４とを直線状に延ばし、この状態で操作キー１を乗り場ドア５の表面側から鍵穴２内に差し込む。この差し込みにより、可動軸４がパイプ７を通過して乗り場ドア５の裏面側に突出し、この突出に応じて図１（Ｂ）に示すように、その可動軸４が自重で下方に回動する。この状態で、主軸を回動操作し、直角に曲がった可動軸を旋回させることにより、乗り場ドアの裏面側に設置されているロック機構を手動で解除することができるようになっている。
【００１９】
このような構成の鍵穴２に対し、本実施形態においては、図２に示すような密閉手段が設けられている。すなわち、乗り場ドア５の裏面には鍵穴２としてのパイプ７に対向するようにほぼコ字状のブラケット１０が取り付けられている。このブラケット１０はパイプ７の先端面に対向する面に開口１１を有し、この開口１１にゴム等の弾性材からなる遮煙用のシート１５が張設され、このシート１５が枠状の押え板１６を介してブラケット１０に固定されている。
【００２０】
シート１５はパイプ７の先端面の開口よりも大きな広がりを有し、このシート１５がパイプ７の先端面に弾性的に密着し、この密着でパイプ７の先端面の開口が気密的に密閉されている。そしてこのシート１５には、パイプ７の先端面の開口と対向する部分に、その開口の直径方向に延びる切込み１７が形成されている。この切込み１７は通常時には閉じ合って気密性を保っている。
【００２１】
このような構成においては、通常時には鍵穴２としてのパイプ７がシート１５で密閉されており、このためエレベータ乗り場側で火災が発生した際に、その煙が鍵穴２を通して昇降路内に流入するようなことがなく、したがって遮煙性を高め、火災の発展を抑え、また他の階への煙の侵入を防止することができる。
【００２２】
一方、エレベータの保守点検時に乗り場ドア５のロック機構を解除してその乗り場ドア５を手動で開放する際には、乗り場ドア５の表面側から鍵穴２内に操作キー１を上述したように直線状に延ばして差し込む。
【００２３】
この差し込みに応じて操作キー１の先端がシート１５に当るが、このシート１５には切込み１７が形成されており、このためその操作キー１の押し込みの力で切込み１７が弾性的に開き、操作キー１の可動軸４がパイプ７から突出し、この突出で可動軸４が自重で下方に回動する。
【００２４】
したがって、この状態で主軸３を回動操作し、直角に曲がった可動軸４を旋回させることにより、乗り場ドア５の裏面側に設置されているロック機構を手動で解除することができる。そしてロック機構の解除後に乗り場ドア５を手動で開放し、エレベータの保守点検の作業を進める。
【００２５】
一方、操作キー１を鍵穴２から抜き取ると、シート１５の切込み１７が弾性的に閉じ、これにより鍵穴２が再び密閉され、遮煙機能が生じる。
【００２６】
（第２の実施形態）
図３には第２の実施形態を示してある。本実施形態においては、乗り場ドア５の裏面に断面クランク状のブラケット１０が取り付けられ、このブラケット１０にパイプ７の先端面に対向するようにゴム等の弾性材からなるシート１５が取り付けられている。このシート１５は、その一側縁部が片持ち式にブラケット１０に固定され、そのシート面がパイプ７の先端面に弾性的に接して密着し、この密着でパイプ７の先端面の開口が気密的に密閉されている。
【００２７】
このような構成においても、通常時には鍵穴２としてのパイプ７がシート１５で密閉されており、このためエレベータ乗り場側で火災が発生した際に、その煙が鍵穴２を通して昇降路内に流入するようなことがなく、したがって遮煙性を高め、火災の発展を抑えることができる。
【００２８】
一方、エレベータの保守点検時に操作キーを鍵穴２に差し込んだときには、その操作キーの先端がシート１５に当り、これに応じてシート１５が反り返るように弾性的に変形し、これにより操作キーの可動軸がパイプ７から突出し、この突出で可動軸が自重で下方に回動し、したがってこの状態で操作キーを回動操作して乗り場ドア５のロック機構を手動で解除することができる。
【００２９】
また、操作キーを鍵穴２から抜き取ると、シート１５が自己の弾性力でパイプ７の先端面に弾性的に密着し、これにより鍵穴２が再び密閉され、遮煙機能が生じる。
【００３０】
（第３の実施形態）
図４には第３の実施形態を示してある。本実施形態においては、乗り場ドア５の裏面に鍵穴２として取り付けられたパイプ７の先端部に、比較的長さの長い袋状の遮煙用のチューブ２０が止めリング２１を介して取り付けられている。
【００３１】
このチューブ２０はゴム等の可撓性を有する材料で形成され、このチューブ２０によりパイプ７内と乗り場ドア５の裏面側領域との間の通気が遮断されている。
【００３２】
このような構成においても、通常時には鍵穴２としてのパイプ７がチューブ２０で密閉されており、このためエレベータ乗り場側で火災が発生した際に、その煙が鍵穴２を通して昇降路内に流入するようなことがなく、したがって遮煙性を高め、火災の発展を抑え、また他の階への煙の進入を防止することができる。
【００３３】
一方、エレベータの保守点検時に操作キーを鍵穴２に差し込んだときには、その操作キーの先端の可動軸が直線状のままパイプ７の先方側に突出するが、この際、下方に垂れ下がっているチューブ２０がその可動軸に沿うように水平状に可撓変形し、これにより可動軸の突出が可能となる。そして、可動軸の全長部分がパイプ７から突出すると、可動軸が自重でチューブ２０と一体的に下方に回動する。したがってこの状態で操作キーを回動操作することにより乗り場ドア５のロック機構を手動で解除することができる。
【００３４】
本実施形態では、操作キーの抜き差しにかかわらず、鍵穴２としてのパイプ７がチューブ２０により常時密閉されており、このためたとえ操作キーの抜き取りを忘れるようなことがあっても、所定の遮煙性能を維持することができる。
【００３５】
(第４の実施形態)
図５および図６には第４の実施形態を示してある。本実施形態は、乗り場ドア５のパネル表面と三方枠の上部の幕板２５の表面とがほぼ面一となっているドア装置の場合の例であり、乗り場ドア５の上部には水平面５ａと垂直面５ｂとを有する段部が形成され、その垂直面５ｂに横に長いスリット状の鍵穴２が形成されている。
【００３６】
本実施形態で使用される操作キー１は、先端側の一側縁に切欠部１ａを有する短冊状をなし、この操作キー１を乗り場ドア５の表面側から前記段部の水平面５ａと幕板２５の下端面との間の隙間を通してスリット状の鍵穴２内に差し込み、さらにこの操作キー１を鍵穴２に沿って横にスライドさせることにより、乗り場ドア５の裏面側のロック機構を手動で解除操作することができるようになっている。
【００３７】
乗り場ドア５の裏面には前記鍵穴２を覆うようにゴム等の弾性材からなるシート１５が枠状の押え板１６を介して取り付けられ、このシート１５により鍵穴２が密閉されている。そしてこのシート１５に鍵穴２に対向するように横に長い切込み１７が形成されている。
【００３８】
このような構成においても、通常時には鍵穴２がシート１５で密閉されており、このためエレベータ乗り場側で火災が発生した際に、その煙が鍵穴２を通して昇降路内に流入するようなことがなく、したがって遮煙性を高め、火災の発展を抑え、また他の階への煙の侵入を防止することができる。
【００３９】
一方、エレベータの保守点検時に鍵穴２に操作キー１を差し込んだときには、その操作キー１の先端部がシート１５の切込み１７を押し開いて乗り場ドア５の裏面側に突出する。そしてこの状態で操作キー１を切込み１７に沿って横方向にスライドし、この操作により乗り場ドア５の裏面側のロック機構を解除することができる。
【００４０】
また、操作キー１を鍵穴２から抜き取ると、シート１５の切込み１７が弾性的に閉じ、これにより鍵穴２が再び密閉され、遮煙機能が生じる。
【図面の簡単な説明】
【００４１】
【図１】この発明の第１の実施形態を示し、乗り場ドアの鍵穴とその鍵穴に差し込んで使用する操作キーとを示す斜視図。
【図２】その鍵穴を密閉する密閉手段を示す斜視図。
【図３】この発明の第２の実施形態を示す斜視図。
【図４】この発明の第３の実施形態を示す斜視図。
【図５】この発明の第４の実施形態示す断面図。
【図６】その実施形態の要部を示す斜視図。
【符号の説明】
【００４２】
１…操作キー、２…鍵穴、３…主軸、４…可動軸、５…乗り場ドア、６…パイプ、１０ブラケット、１１…開口、１５…遮煙用のシート、１６…フレーム、１７…切込み、２０…遮煙用のチューブ、２５…幕板。
【図１】
0004643170.tif 000002
【図２】
0004643170.tif 000003
【図３】
0004643170.tif 000004
【図４】
0004643170.tif 000005
【図５】
0004643170.tif 000006
【図６】
0004643170.tif 000007